(57)【要約】【課題】【解決手段】紙２１の第一の連２１ａを保持する第一のトレー２１と、紙３１の第二の連３１ａを保持する第二のトレー３０と、前記第一の連２１ａ又は前記第二の連３１ａから一時に１枚の紙２１、３１を取り出し且つ供給する供給部材５０、５３、５３ａ、５３ｂとを備え、２つのトレー２０、３０は、一方が他方の頂部となるように供給部材５０の同一側部にて配置され、第二のトレー３０は第一のトレー２０と供給部材５０との間の中間の位置にて第二の連３１ａを支持し、第一のトレー２０と供給部材５０との間に開口部又は協働する帯域４１を画成する形態とされた固定壁３２、３２ａ、３２ｂを備え、第二の連が第二のトレー３０内に存在しないとき、供給部材５０、５３、５３ａ及び第一の連２１ａは、上記協働する帯域４１を通して互いに接触状態にて協働しようとし、第一のトレー２０内に保持された第一の連２１ａから１枚の紙２１を取り出し且つ供給し得るようにされた、紙を２つのトレーから取り出し且つ供給する装置１０である。本発明の装置は、コンパクトで経済的な構造を有し、また、限られた数の部品にて形成され、また、長期間、高信頼性で正確に且つ静粛に機能することを保証する。
2008508156.tif 000002
【特許請求の範囲】
【請求項１】
紙（２１、３１）を取り出し且つ供給する装置（１０）において、
紙の第一の連（２１ａ）及び第二の連（３１ａ）をそれぞれ保持し得るようにされた第一のトレー（２０）及び第二のトレー（３０）と、
紙（２１、３１）を紙の前記第一の連（２１ａ）又は第二の連（３１ａ）の１つから拾い上げ且つ引っ張る供給部材（５０、５１、５３、５３ａ、５３ｂ）とを備え、
前記第二のトレー（３０）は、前記第一のトレー（２０）と前記供給部材（５０）との間に配置され、
前記供給部材（５０、５３、５３ａ）及び前記第一の連（２１ａ）は、前記第二のトレー（３０）を通して協働し得るようにされた、紙を取り出し且つ供給する装置。
【請求項２】
請求項１に記載の装置において、前記第二のトレー（３０）は、前記第二のトレー（３０）内に第二の連（３１ａ）が存在しないとき、前記供給部材（５０）と前記第一のトレー（２０）内に保持された前記第一の連（２１ａ）とが相互的に係合することを許容する開口部（４１）を形成する、装置。
【請求項３】
請求項２に記載の装置において、前記第一のトレー（２０）及び前記第二のトレー（３０）は、前記供給部材（５０）の同一側部にて一方が他方の頂部となるように配置され、前記開口部（４１）は、前記第二の連（３１ａ）を受け入れ且つ該第二の連（３１ａ）を接触する状態にて支持し得るようにされた前記第二のトレー（３０）の固定壁（３２、３２ａ、３２ｂ）により形成される、装置。
【請求項４】
請求項２に記載の装置において、前記第二のトレー（３０）内に保持された前記第二の連（３１ａ）が存在するとき、前記開口部（４１）は、前記第一のトレー（２０）が前記第二の連（３１ａ）にて作用し、該第二の連を前記供給部材（５０）に対して押し付け且つ該供給部材と係合した状態に維持するのを該開口部が許容するようなものとされる、装置。
【請求項５】
請求項１ないし４の何れか１つの項に記載の紙を取り出し且つ供給する装置において、前記第一のトレー（２０）及び前記第二のトレー（３０）の支持構造体（１５）を備え、前記第一のトレー（２０）は可動であり且つ、前記支持構造体（１５）の上に特に支点状に取り付けられ、前記第二のトレー（３０）は固定され且つ、支持構造体（１５）と一体的であるようにした、紙を取り出し且つ供給する装置。
【請求項６】
請求項５に記載の紙を取り出し且つ供給する装置において、前記供給部材（５０、５１、５３、５３ａ、５３ｂ）は、前記支持構造体（１５）上にて固定の軸線（５２）の回りを回転する少なくとも１つの供給ローラ（５３、５３ａ、５３ｂ）を備え、弾性手段（２５）は、前記第一のトレー（２０）と関係付けられて、該第一のトレーを前記供給部材（５０）に向けて押して、前記第一の連（２１ａ）及び第二の連（３１ａ）からの最上側紙（２１´、３１´）が前記供給ローラ（５３、５３ａ）と係合し得るようにした、紙を取り出し且つ供給する装置。
【請求項７】
請求項６に記載の紙を取り出し且つ供給する装置において、前記供給ローラ（５３、５３ａ、５３ｂ）と関係付けられた駆動機構（１９、６０、６１、６３、６２ａないし６２ｄ）を備え、前記駆動機構（１９、６０、６１、６３、６２ａないし６２ｄ）は、増分的な態様にて、前記供給ローラ（５１、５３、５３ａ、５３ｂ）を完全に１回転駆動して、完全に回転の各々の間、前記第一のトレー（２０）内に保持された前記第一の連（２１ａ）又は前記第二のトレー（３０）内に保持された前記第二の連（３１ａ）からの紙（２１´、３１´）の取り出し及び供給を決定し得るようにされた型式のものである、紙を取り出し且つ供給する装置。
【請求項８】
請求項７に記載の紙を取り出し且つ供給する装置において、前記供給ローラ（５３）は、前記供給ローラ（５１、５３）の完全な１回転に相応する周角の展開部に沿って、外側の円筒状プロファイルに従った形態とされた第一の円筒状部分（５３ａ）と、前記第一の円筒状部分（５３ａ）と接続されると共に、前記外側の円筒状プロファイルに比して低プロファイルに従った形態とされた第二の下降部分（５３ｂ）とを有する型式のものである、紙を取り出し且つ供給する装置。
【請求項９】
請求項７に記載の装置において、前記駆動機構（６０）は、前記供給ローラ（５３）と一体的に回転する駆動歯車（５４）により前記供給ローラ（５３）を駆動し得るようにされ、前記駆動歯車は、外側に第一の歯付き部分（５４ａ）と、第二の無歯部分（５４ｂ）とを有し、前記第二の無歯部分（５４ｂ）は、前記完全な１回転の完了時、前記駆動機構（６０）の歯付きホイール（６２ｄ）の前方に配置されようとし、相対的に下降した部分（５３ｂ）が前記第二のトレー（３０）に面し且つ該第二のトレー（３０）と基本的に平行となる位置にて、前記供給ローラ（５３）が捕捉されるようにした、装置。
【請求項１０】
請求項５に記載の装置において、前記第一のトレー（２０）及び前記第二のトレー（３０）内に保持された前記第一の連（２１ａ）及び前記第二の連（３１ａ）の少なくとも一方の下端縁と接触して協働し得るようにされ、前記第一のトレー（２０、２２）が前記供給部材（５０）に対して後方に且つ前方に動くとき、前記第一のトレー（２０、２２）に常時、従動し且つ、第一のトレー（２０、２２）から分離しないようにした駆動機構（２６、２６ａ）を更に備える、装置。
【請求項１１】
請求項１に記載の紙を取り出し且つ供給する装置（１０）において、単一の紙（７１）を受け取る追加的な支持面（７０）と、前記第一のトレー（２０）及び前記第二のトレー（３０）と並びに前記追加的な支持面（７０）と関係付けられて、前記第一のトレー（２０）又は前記第二のトレー（３０）から、又は前記追加的な支持面（７０）から紙を選択的に取り出す紙の取り出し及び供給ユニット（５０、５３、５４、５４ａ、５４ｂ、６０、１３ｂ）とを更に備え、
前記追加的な支持面（７０）上に前記単一の紙（７１）が存在することに応答して、前記紙の取り出し及び供給ユニットは、前記第一のトレー（２０）又は前記第二のトレー（３０）からの任意のその他の紙（２１、３１）の取り出し及び供給に優先して、前記単一の紙（７１ａ）を前記支持面（７０）から取り出し且つ供給し得るようにされた、紙を取り出し且つ供給する装置（１０）。
【請求項１２】
請求項１に記載の紙を分離し且つ供給する装置（１０）を備えるファックス機（１１）において、前記第一の連（２１ａ）は、前記ファックス機を通して受信した文書を印刷して複製しようとするとブランク紙（２１）から成り、前記第二の連（３１ａ）は、前記ファックス機（１１）により送信すべく読み取ろうとするオリジナル紙（３１）から成る、ファックス機。
【請求項１３】
紙を第一の連（２１ａ）又は第二の連（３１ａ）から選択的に供給する方法において、
前記第一及び第二の連の少なくとも一方を第一のトレー（２０）及び第二のトレー（３０）内にそれぞれ収容し、前記第二のトレー（３０）は第一のトレー（２０）の上方に配置されるようにするステップと、
紙（２１´、３１´）を供給部材（５０、５３、５３ａ、５３ｂ）によって前記第一の連（２１ａ）及び第二の連（３１ａ）の一方から取り出すステップと、
前記第二のトレー内に前記第二の連が存在するとき、紙を前記第二の連から取り出し、又は前記第二のトレー（３０）内に前記第二の連（３１ａ）が存在しないとき、紙を前記第一の連（２１ａ）から取り出すかを選択的に行うステップと、
紙（２１´）を前記第一の連（２１ａ）から取り出すステップは、前記第二のトレー（３０）を通じて前記供給部材（５０）と前記第一の連（２１ａ）との間の協働を作動させるステップである、方法。
【請求項１４】
請求項１３に記載の方法において、前記第二のトレー（３０）を通して前記供給部材（５０）と前記第一の連（２１ａ）との間の協働を作動させるステップは、前記第二のトレー（３０）に開口部を配置するステップである、方法。
【請求項１５】
請求項１３に記載の方法において、前記第一の連（２１ａ）及び前記第二の連（３１ａ）の一方から紙（２１´、３１´）を取り出すステップは、前記紙（２１´、３１´）の取り出しサイクルに相応する完全な１回転を実行し得るようにされた少なくとも１つの供給ローラ（５３）を使用するステップであり、前記供給ローラ（５３）は、外部に、前記紙と接触する状態にて協働し得るようにされた第一の円筒状部分（５３ａ）と、前記円筒状面に対して下降した第二の部分（５３ｂ）であって、前記紙（２１´、３１´）の取り出しサイクルの完了時、前記１回転の後、それ自体にて前記第一の連（２１ａ）又は前記第二の連（３１ａ）に面し且つ該第一の連（２１ａ）又は第二の連（３１ａ）から隔てられた位置に配置しようとする前記第二の部分（５３ｂ）とを有する、方法。
【発明の詳細な説明】
【技術分野】
【０００１】
本発明は、全体として、紙を供給する装置、より詳細には、２つの別個のトレーから紙を取り出し且つ供給する装置であって、印刷装置と、文書をそれぞれ受信し且つ送信する読み取り装置とを備える型式のファックス通信機のような、事務機内に特に組み込み得るようにされた上記装置に関する。
【背景技術】
【０００２】
既知であるように、ファックス機は、文書を受信し且つ送信し得るように外部の通信線と接続されている。
文書上のデータは、通信線を通じて受信したとき、ファックス機内の印刷装置によりブランク紙上に印刷される。そのブランク紙は、全体として、かかるブランク紙の特定の供給分を保持する第一のトレーから取り出される。
【０００３】
オリジナル紙又は文書とも称される送信すべき文書は、第二のトレー内に保存され、その文書は、その第二のトレーから取り出されてファックス機により読み取られ、従ってデータに変換され、そのデータは通信線を介して連続的に送信される。
【０００４】
印刷すべきブランク紙が保持されたトレー、及びトレーから紙を取り出す関連する装置は、「自動型紙フィーダ（Ａｕｔｏｍａｔｉｃ  Ｓｈｅｅｔ  Ｆｅｅｄｅｒ）」という英語による表現の略語であるＡＳＦと簡単に呼ばれるグループを形成する。
【０００５】
送信すべき文書のオリジナルの紙が保持されたトレー、及びかかる文書を該トレーから取り出す関連する装置は、「自動型文書フィーダ（Ａｕｔｏｍａｔｉｃ  Ｄｏｃｕｍｅｎｔ  Ｆｅｅｄｅｒ）」という英語による表現の略語であるＡＤＦと簡単に呼ばれるグループを形成する。
【０００６】
印刷すべきブランク紙と、読み取るべきオリジナル紙とをそれぞれ保持する２つのトレーは、紙を取り出し得るようにされた関連する装置と共に、ファックスの性能及びコストに顕著な程度に影響を与えるファックスの重要な特徴を表わすグループを形成する。
【０００７】
特に、このグループは、紙をトレーから１回に１枚ずつ極めて正確に、精密に且つ確実に取り出すことを保証し且つ、ファックス機の全体コストに与える影響が可能な限り最小であるよう簡単な構造であることが重要である。
【０００８】
２つのトレーの間に配置されたピックアップ装置によって２つの別個のトレー内に保持された紙を選択的に供給しようとする、例えば、ファックス又はプリンタのような事務機に組み付け得るようにされた装置が既に米国特許明細書６，０２２，０１３号から既知である。
【０００９】
特に、この装置において、２つのトレーは、固定の構造体上に支点式に取り付けられ且つ、ピックアップ装置に選択的に接近し、これにより２つのトレーの一方又はその他方から１度に１枚の紙が分離され且つ供給されるような態様にてそれぞれの回転方向に従ってモータにより交番的に作動される。
【発明の開示】
【発明が解決しようとする課題】
【００１０】
しかし、当該出願人は、この装置はかなり複雑な構造であり、このため高価であること、双方のトレーは、ピックアップ装置と協働するような位置にそれぞれの紙を移動し得るように動かす必要があるという更なる条件が課されるという短所があることを知った。
【００１１】
事実上、２つのトレーが中央のピックアップ装置に対して接近し且つ離れる動きは、トレーの質量のため、紙のピックアップ性能及び効率に否定的な影響を与え、極端な場合、それぞれのトレー内の紙の安定性を損なうことさえもある動的応力を引き起こす。
【００１２】
また、２つの相応する紙の連（ｒｅａｍ）を保持する２つのトレーを有するプリンタ、及び紙をトレーの一方又は他方から選択的に取り出すべく２つのトレーの間に配置された取り出し装置が共に米国特許明細書６，６８８，５９０号から既知である。
【００１３】
取り出し装置は、駆動軸と、アーム構造体を有する取り出し部材とから成っている。該アーム構造体は、固定の軸線の回りにて回転し且つ駆動軸により回転されて紙の取り出しを決定することを目的とする。
【００１４】
使用時、取り出し部材は、固定の軸線の回りを揺動し、２つのトレーの間を動くと共に、２つのトレー内に保持された紙の連の一方又は他方と係合し、駆動軸が第一の回転方向に回転するとき、取り出し部材は紙と係合し且つ紙を第一の連から取り出し、また、駆動軸が第二の方向である反対方向に向けて回転するとき、取り出し部材は紙と係合し且つ紙を紙の第二の連から取り出すような態様にて作動する。
【００１５】
当該出願人は、２つのトレーから紙を取り出す上記装置において、取り出し部材は、かなり複雑な構造であること、更に、アーム及び突き出す形状のため、容易に制御できないことを知った。
【００１６】
また、一方が他方の頂部に配置された２つのトレーから紙を取り出し且つ供給すべく写真複写機に取り付けられた装置も米国特許明細書６，７０９，１７７号から既知であり、この装置において、２つのトレーの各々は、それぞれのリーフィング（ｌｅａｆｉｎｇ）ローラと協働して相応するトレー内に保持された紙の連から１度に１枚の紙を取り出し且つ供給する。
【００１７】
この場合にも、当該出願人は、紙を２つのトレーから取り出し且つ供給する装置は、かなり複雑な構造であり、このため、特に、トレーの各々に対して特定の且つ別個の供給ローラが存在するから、高価であるという短所があることを知った。
【００１８】
当該出願人は、紙を２つのトレーから分離させ且つ供給する装置であって、従来の技術における上述した短所を解決する装置、特に、部品数が減少した簡単な構造であり、２つのトレーシステムは、作動中、動かすべき関連した質量が減少し、また、部品の動きが可能な限り制限され、顕著な慣性応力の発生を防止し得るようにした上記の装置を提供するという課題に取り組んだ。
【００１９】
当該出願人は、２つのトレーから紙を取り出し且つ供給する装置であって、印刷すべきブランク紙及び送信すべきデータを保持する紙を印刷装置及びファックス機の読み取り装置に向けて供給するためファックス機内にて有益に使用するのに適しており、また、特に、部品数が減少し且つ、これら部品が受ける動きが相対的に減少した簡単な構造体によってこれらの機能を確実に且つ正確な態様にて実現する上記の装置を提供するという課題をも認識した。
【課題を解決するための手段】
【００２０】
上記の課題に鑑みて、本発明は、第一の形態において、
紙の第一及び第二の連をそれぞれ保持し得るようにされた第一及び第二のトレーと、
紙を紙の第一又は第二の連の１つから把持し且つ引っ張る供給部材とを備え、
第二のトレーは、第一のトレーと供給部材との間に配置され、供給部材及び第一の連は上記第二のトレーを通して協働し得るようにされた、紙の取り出し及び供給装置に関するものである。
【００２１】
好ましくは、本発明に従った紙の取り出し及び供給装置において、第二のトレーは、第二のトレー内に第二の連が存在しないとき、供給部材及び第一のトレー内に保持された第一の連が係合又は接触する状態にて相互に協働することを許容する開口部を形成するものとする。
【００２２】
更に好ましくは、第二のトレーにより形成されたこの開口部は、第二のトレー内に第二の連が存在するとき、第一のトレーが第二の連に作用し、該第二の連を押し付け且つ該第二の連を上記供給部材に対して係合状態に維持することを許容し得るようにする。
【００２３】
更なる形態に従い、本発明は、紙を第一又は第二の連から供給する方法であって、
第一及び第二の連の少なくとも一方を第一及び第二のトレー内にそれぞれ収容し、第二のトレーは第一のトレーの上方の位置に配置されるようにするステップと、
紙を供給部材によって第一及び第二の連の一方から取り出すステップと、
第二のトレー内に同一の第二の連が存在するとき、紙を第二の連から取り出し、又は第二のトレー内に第二の連が存在しないとき、紙を第一の連から取り出すことを選択に実行するステップとを備え、
紙を第一の連から取り出すステップは、供給部材が第二のトレーを通して第一の連と協働するようにするステップを備える、上記方法に関する。
【００２４】
本発明の上記及びその他の特徴、形態及び目的は、添付図面に関して非限定的な一例として提供された１つの実施の形態の以下の説明から一層明らかになるであろう。
【発明を実施するための最良の形態】
【００２５】
図１ないし図４を参照すると、本発明に従って実現された、以下に簡単にリーフィング装置とも称する、紙を２つのトレーから取り出し且つ供給する装置は、全体として参照番号１０で示されている。
【００２６】
本発明のリーフィング装置１０は、固定の構造体１６を有し且つ文書を受信し且つ送信するため外部の通信線と接続された、以下に簡単にファックスとも称するファックス機１１のような事務機内に組み込まれている。
【００２７】
図１に示すように、また、図７ａないし図７ｄの断面図にてより明確に示すように、分離及び供給装置１０は、紙２１の第一の複数の又は第一の連２１ａと、紙３１の第二の複数の又は第二の連３１ａとを保持する機能、及び紙２１、３１を一度に一枚ずつそれぞれの連２１ａ、３１ａからそれぞれ分離し且つ供給する機能の双方を果たす。
【００２８】
この目的のため、リーフィング装置１０は、第一の連２１ａ及び第二の連３１ａをそれぞれ保持しようとする、互いに相違する第一のトレー２０と、第二のトレー３０とを備えている。
【００２９】
特に、ファックス１１内にて使用するため、トレー２０内に保持された連２１ａを形成する紙２１は、受信した文書を印刷するためのブランク紙から成る一方、第二のトレー３０内に保持された連３１ａを形成する紙３１は、像、文書又はその他のデータを保持するための紙であって、ファックス機１１によって送信すべき文書を形成する紙から成っている。
【００３０】
好ましくは、トレー２０はトレー３０よりも大きい容量を有し、従って、連２１ａは、連３１ａよりも多数の紙から成るものとする。
例えば、トレー２０、３０は、予め設定された時間の間、例えば１日に通常、受信されると予想される最大数の文書（一方、文書の各々は、特定数の紙から成っているものとする）を印刷するのに十分な数の紙を保持するようトレー２０が予め配置される一方、単独にて送信すべき１つ又はより多くの紙から成る単一の文書を保持するか又は、最大限共に送信すべき僅かな文書のみを保持するようトレー３０が予め配置されるような寸法とすることができる。
【００３１】
具体的な一例として、連２１ａは、印刷のため使用される最大４０ないし５０枚の紙から成る一方、連３１ａは、送信すべき５ないし１０枚の紙から成っている。
当然、必要性が異なる場合、上記のトレーは、これに応じた寸法とすることができる。
【００３２】
再度、全体的なファックスの作動機能１１に関し、リーフィング装置１０によって相応するトレー２０、３０から選択的に引き出され且つ供給された紙２１、３１は、図７ａないし図７ｄに一点鎖線で示した、供給方向１８ａ（図４）とコヒーレントな共通の供給経路１８に沿って搬送され、以下に更に明確に示すように、ファックス機１１の印刷装置１２及び読み取り装置１３とそれぞれ協働する。
【００３３】
供給経路１８に沿って配置されたファックス１１の印刷装置１２及び読み取り装置１３が有する特徴は既知であり、このため、これらは簡単に、本発明を説明するのに必要な形態に関してのみ記述する。
【００３４】
印刷装置１２は、例えば、特に、インクジェット型の印刷ヘッド１２ａを備えており、該印刷ヘッドは、直動モータ１２ｂによって駆動して、二重矢印ｆ３（図２）により示すように印刷帯域に沿って後方及び前方に直動して経路１８に沿って移動するとき、第一のトレー２０から来るブランク紙２１に複数の印刷行を連続的に印刷する。
【００３５】
読み取り装置１３は、トレー３０から来る文書紙３１の全幅に沿って伸びるＣＩＳ（接触型像センサ（Ｃｏｎｔａｃｔ  Ｉｍａｇｅ  Ｓｅｎｓｏｒ）の英語の略語）としばしば称される読み取りバー１３ａを備えており、この読み取りバーは、回転する牽引ローラ１３ｂと、圧力関係にて協働して同一の文書紙３１を受け取り、経路１８に沿って連続的に移動するとき、その文書を行毎に漸進的に読み取ることができるようにする。
【００３６】
紙２１、３１を供給経路１８に沿って供給するため、ファックス１１は、全体として参照番号１４で示した適宜な供給手段を備えている。該供給手段は、例えば、読み取りバー１３ａと関係した回転ローラ１３ｂと、互いに連結された１つ又はより多くの回転ローラ又は部材１４ａとを有する。これらの回転ローラ１４ａは、トレー２０、３０から来る紙２１、３１を受け取り且つこれらの紙とそれぞれ接触して協働し得るようにされており、これらの文書を読み取り装置１３及び印刷装置１２の前方に供給し、最後に、これらの文書を矢印ｆ２（図１）で示した方向とコヒーレントな出口帯域又は開口部１７を通してファックス機１１の外部に排出する。
【００３７】
詳細には、リーフィング装置１０は、既に上述したトレー２０、３０と、リーフィング装置１０の色々な固定部品及び可動部品とを支持しようとするものであり、ファックス１１の固定の構造体と一体とされ且つ固定の構造体に取り付けられた固定の支持構造体１５と、主駆動モータ１９と、リーフィング部材すなわち供給部材５０と、駆動機構６０とを備えており、該駆動機構は、以下に更に詳細に説明するように、ロッカ型であり、主駆動モータ１９とリーフィング部材５０との間に介されている。
【００３８】
上述したように、第一のトレー２０は、以下に、ファックス１１から受け取った複製すべき文書のデータを印刷するために使用される、以下に複写紙とも称される第一の複数のブランク紙２１を保持しようとするものであり、また、ファックス１１の後側部に沿って、第二のトレー３０よりもリーフィング部材５０から更に遠方に配置されている。
【００３９】
一方、第二のトレー３０は、上述したように、既に印刷したデータを有する紙３１を保持しようとするものであり、この理由のため、該紙は、読み取り且つファックス機１１によって送信すべき文書の紙を形成する、オリジナル紙又は文書紙とも称される。該第二のトレーは、第一のトレー２０とリーフィング部材５０との間に配置される、すなわち、第一のトレー２０よりも上記部材により近接した位置に配置される。
【００４０】
要するに、２つのトレー２０、３０は、一方が他方の前側になるように且つリーフィング部材５０に対して同一側部に配置され、第一のトレーはリーフィング部材５０から更に遠方に配置され、また、更に、トレー２０、３０の双方は、頂部にて開放しており且つ、水平面に対して傾斜して、それ自体の重量を受ける紙２１ａ、３１ａの相対的な連を矢印ｆ１（図１）に示した方向に向けて頂部から受け取ると共に、これらの連を安定的な態様にて保持する。
【００４１】
特に、第一のトレー２０は、支点２３にて固定の構造体１５に支点式に取り付けられた、底部とも称される可動の板又は壁２２（図４及び図５）を備えており、これらの板又は壁は、トレー２０内に保持された第一の連２１ａに対してその伸長部に沿った支持体として作用し得るようにされている。
【００４２】
第一のトレー２０の可動壁２２はまた、例えば、固定の構造体１５と同一の可動壁２２との間に介在させたヘリカル圧縮型として示した、１つ又はより多くのばねから成る弾性手段２５（図７ａ）とも関係している。該弾性手段は、可動壁２２に弾性力を加えて該可動壁を常時、リーフィング部材５０の方向に向けて押すことができるようにされている。
【００４３】
第二のトレー３０は、それぞれの固定壁３２を備える一方、該固定壁３２は第二のトレー３２内に保持された第二の連３１ａに対する支持面を画成する。
特に、壁３２は、固定の構造体１５と一体的であり、また、第一のトレー２０への可動壁２２の面に対して基本的に平行な傾斜面に沿って伸びる第一の部分３２ａと、第二の部分とを備えており、該第二の部分は、第一の部分３２ａに固定された２つの支持板３２ｂから成り且つ、同一の傾斜路にて下方向に伸びて連３１ａに対する支持面を伸長させる。これらの板３２ｂは、紙３１に対して大きい摩擦係数を有し、また、何れの場合でも、連３１ａを構成する紙３１の間の摩擦係数よりも大きい摩擦係数を有するゴムのような材料にて形成される。
【００４４】
このようにして、既知の方法及び措置に従い、これらの支持板３２ｂは、その大きい摩擦係数のため、トレー３０の壁３２の上に位置する連３１ａの端部又は最後の紙を保持し、２つの紙の供給が上記最後の紙の引き出紙一致する虞れを防止する作用を果たす。
【００４５】
打撃面２４（図７ａないし図７ｄ）は、トレー２０、３０に対する共通の下底部を画成し、また、連２１ａ及び連３１ａの下端と接触した状態にて協働し、連がそれぞれのトレー２０、３０内に保持されるとき、これらの連２１ａ及び連３１ａを下方から支持しようとするものである。
【００４６】
駆動又は保持機構２６（図８ａ及び図８ｂ）は、打撃面２４と関係して、可動壁２２がリーフィング部材５０に対して動く間、それぞれのトレー２０、３０内に保持された連２１ａ及び連３１ａの下端縁を駆動し且つ該下端縁を従動させる。
【００４７】
特に、この駆動機構２６は、可動壁２２により駆動されて可動壁２２の動きと同期化した打撃面２４に対する引き込み動作を実現し得る歯形状の端部を有する、２つのレバー２６ａを備えている。これら２つのレバーは、打撃面２４の側部帯域内にてそれぞれのトレー２０、３０内に保持された連２１ａ、３１ａの各々の下端縁と接触して協働し得るようにもされている。
【００４８】
このようにして、２つのレバー２６ａは、上記壁がリーフィング部材５０に対して後方及び前方に動くとき、連２１ａ、２１ｂを常時、可動壁２２に接着した状態に維持し、また、特に、これらのレバーは、以下に更に説明するように、紙２１又は３１が取り出された後、トレー２０の可動壁２２がリーフィング部材５０に対して引き込められるステップの間、連２１ａ、３１ａの正確な回復を保証する。
【００４９】
リーフィング部材５０は、上述したように、紙２１、３１を相応するトレー２０、３０から一枚ずつ取り出し且つ供給する作用を果たし、また、該部材は、特に、固定の構造体１５の端部にて回転可能に支持された軸５１を備えており、該軸は、それぞれの固定の軸線５２の回りにて回転し得るようにされており、また、軸５１に強固に取り付けられ、紙２１´（図７ａ）又は紙３１´（図７ｃ）と接触して協働しようとする２つのリーフィングローラ５３を備えている。これらのローラは、連を該連の他方の紙から分離させ且つその連を以下により詳細に説明するような態様にて供給し得るよう、２つのトレー２０、３０内に保持された連２１ａ又は３１ａの頂部に配置されている。
【００５０】
詳細には、２つのリーフィングローラ５３は、第二の中間のトレー３０の壁３２の下側部分を形成するゴム支持板３２ｂにて軸５１に固定されている。これらのローラの各々は、Ｄ字形又は半月形状とも称される外側プロファイルを有している。該外側プロファイルは、軸５１の軸線５２の回りで展開部に沿って、円筒状面の一部分により画成された第一の帯域５３ａと、円筒状面５３ａの部分の両端と接続された基本的に平坦な面により画成された第二の下側帯域５３ｂとを有している。
【００５１】
この形態によれば、図７ａないし図７ｄに示すように、リーフィングローラ５３の各々は、側方向から見たとき、円筒状部分５３ａに相応する円形部分と、部分５３ｂに相応する直線状の下側部分とにより画成された外側プロファイルを有する。
【００５２】
リーフィング部材５０には、軸５１の一端に堅固に固定されると共に、ロッカ駆動機構６０によって作動させ得るようにされた主駆動歯車５４も設けられている。
この場合にも、リーフィング部材５０は、回転軸５１と一体的であり、このため、軸と共に回転し得るようにされた２つのカムプロファイル５６を備えており、該カムプロファイルは、軸５１の側部に配置され且つ第一のトレー２０の可動壁２２と接触する状態にて協働し、ピン２３の回りの旋回動作を駆動させ、同一壁２２に対して作用する弾性手段２５により加えられる作用に反作用しようとするものである。
【００５３】
駆動歯車５４の外側には、周角以下の角度にて周縁の回りを伸び、これにより駆動歯車５４の無歯周縁部分５４ｂを画成する歯部分５４ａが設けられている。
本発明の基本的な特徴に従い、分離及び供給装置１０は、第一のトレー３０とリーフィング部材５０との間の帯域内にて第二のトレー３０の固定壁３２により画成され且つ形成された、協働帯域又は空間とも称される開口部４１を備えている。該装置は、リーフィング部材５０及び第一のトレー内に保持された第一の連２１ａが第一のトレー３０を通じて相互に接触する状態にて協働し、第二の連３１ａが第二のトレー３２内に存在しないとき、紙２１を連２１ａから一枚ずつ取り出し且つ供給するのを許容する。
【００５４】
特に、この目的のため、部分３２ａ及び壁３２を形成し、従って第二のトレー３２内に保持された連３１ａに対する支持面を形成する支持板３２ｂは、リーフィング部材５０のローラ５３の円筒状面５３ａが以下に更に説明するように、相対的な取り出し及び供給サイクルの間、第一のトレー２０内に保持された連２１ａの頂部の最上側紙２１´にアクセスし且つ該最上側紙と接触することを自由にする空間を残すような形態とされている。
【００５５】
例えば、図４に示すように、第二のトレー３０を通してリーフィング部材５０と第一の連２１ａとの間の係合を許容し得るようにされた開口部４１は、リーフィングローラ５３の形状に相応し且つ基本的に該形状を再現するプロファイル３２ｃを使用して、支持板３２ｂを形成することにより実現される。
【００５６】
更に、一層良く理解し得るように、駆動機構６０は、リーフィング部材５０を駆動して、該リーフィング部材が紙２１、３１を２つのトレー２０、３０から取り出すのとコヒーレントな所定の回転方向に従って常時、回転するようにする機能を果たすと共に、紙２１又は３１をトレー２０、３０の一方又は他方から選択的に分離させ且つ供給し得る形態とされた取り出し及び供給装置１０のこれらの部分を、上記回転と同調して且つ同一のリーフィング部材５０によって作動させ且つ動かす機能を果たす。
【００５７】
特に、図５及び図６を参照すると、駆動機構６０はリーフィング部材５０の駆動歯車５４の側部に相応するファックス機１１の一側部に沿って配置され、このため、基本的にロッカとして作用し、また、一横列に配置され且つ互いに噛み合うそれぞれ６２ａ、６２ｂ、６２ｃ、６２ｄで示した一組の４つの歯車又は歯付きホイールから成る部材６１と、４つの歯付きホイール６２ａないし６２ｄと関係した、支持レバーとも称される支持体６３とから成っている。
【００５８】
特に、支持体６３は、４つの歯車６２ａないし６２ｄを内部に収容し且つ保護する外殻形状を有し、また、レバーと同様の仕方にて、二重矢印ｆ６で示したように歯車６２ｂの回転軸線に相応して、固定の軸線６４の回りでファックス機１１の構造体１５に対して揺動し得るようにされている（図６）。
【００５９】
一組の歯付きホイール６２ａないし６２ｄにて、その中央位置に位置するため、中央歯付きホイール又は歯車とも称される歯付きホイール６２ｂは、固定の構造体１５にてそれぞれの固定の軸線６４の回りを回転し且つ二重歯を有する歯付きホイールのより小径の第一の歯部を形成する。一方、二重歯部を有する歯付きホイールは、駆動モータ１９のピニオン歯車１９ａと噛み合ったより大径の第二の歯部６２ｂ´を備えている。
【００６０】
中央歯付きホイール６２ｂの左側に配置された第一のホイール、図５に示すように、歯付きホイール６２ｂに右側に配置されたその他の２つの歯付きホイールといったその他の３つの歯付きホイール６２ａ、６２ｃ、６２ｄは、支持体６３によって回転可能に支持されており、このため、それらのそれぞれの回転軸線は該支持体と共に動き得るようにされている。
【００６１】
円錐形の形状を有するヘリカルばね６６（図８ａ）は、レバー支持体６３と歯車６２ｂとの間に圧力を作用させ、それぞれの接続面の間に十分な摩擦強度を発生させる作用を果たし、このため、レバー支持体がモータ１９によって一方向又はその反対方向に回転されたとき、レバー支持体６３は歯車６２ｂの軸線６４の回りにて同一の回転方向に引っ張られる。
【００６２】
このようにして又は換言すれば、主駆動モータ１９の回転方向に従い、駆動機構６０の一組の歯車の端部に配置された歯付きホイール６２ａ、６２ｄは、装置１０の機能の説明に関して以下により明確に説明するように、一方又は他方がリーフィング部材５０の駆動歯車５４と噛み合うよう選択的に動くことができる。
【００６３】
紙を２つのトレー２０、３０から取り出し且つ供給するリーフィング装置１０は、ファックス機１１の固定構造体１５と一体である支持体又は挿入面７０（図１、図７ａ、図７ｃ）とも関係しており、該支持体又は挿入面７０はリーフィング部材５０の側部から見たとき、第二のトレー３０の正面側に配置される。
【００６４】
ファックス機１１の機能に関するより一般的な説明において、挿入面７０は送信すべき文書３１のその他の紙が既に第二のトレー３０内に存在するときでさえ、供給し且つ直ちに読み取り装置１３によって読み取り、また、直ちにファックス１１によって送信しようとする一枚の文書紙７１（図７ｃ）を受け入れる作用を果たす。
【００６５】
この目的のため、挿入面７０は、第一のトレー２０及び第二のトレー３０に対して基本的に平行な方向に向き決めされており、また、牽引ローラ１３ｂと読み取りバー１３ａの間で読み取り装置の帯域に隣接して下側部分内に伸びている。
【００６６】
リーフィング装置１０、より全体的には、ファックス機１１が有する特徴は、一般に既知であり、このため、簡略化のため図面に示さないセンサシステムも備えている。該センサシステムは、リーフィング装置１０の色々なトレー及び供給経路１８に沿ったその通路内に紙が存在することを検出し、全体的な機能及びファックス機１１によって実行される特定の作動を正確に制御する作用を果たす。より詳細には、第一及び第二の存在センサは、第二のトレー及び挿入面７０と関係付けられ、１つ又はより多くの文書紙３１及び一枚の文書紙７１がそれぞれ第二のトレー３０及び挿入面７０に存在するか又は不存在であるかを検出する。
【００６７】
この場合にも、更なるセンサがトレー２０又は３０からそれぞれ来る紙２１又は３１の前端縁の通過を検出し、紙がファックス機１１の外部に排出される迄、紙２１又は３１の更なる供給を正確に制御するよう経路１８に沿って配置されている。
【００６８】
本発明のリーフィング装置の機能
次に、リーフィング装置１０が複写紙２１を第一のトレー２０から供給する場合と、リーフィング装置１０がオリジナルすなわち文書紙３１を第二のトレー３０から供給する場合とを識別する、図９ａ、図９ｂのフロー図を参照しつつ、本発明のリーフィング装置１０の機能について詳細に説明する。
【００６９】
複写紙のリーフィングサイクル
最初に、このサイクルは、第一のトレー２０内にブランク紙２１の連が存在する一方、第二のトレー３０内には送信すべき紙が存在しないこととする。
【００７０】
実際上、紙３１が第二のトレー３０内に存在するならば、このことは、第二のトレー３０と関係付けられた紙の存在センサによって信号が発せられ、従って、ファックス機１１を作動させるプラグラムに応答して、到着した文書の複製よりも送信すべき文書の送信を優先させる。
【００７１】
このため、この場合、作動プログラムは、全ての紙３１が第二のトレー３０から送られる迄、上述したのと正確に同一にて、第二のトレー３１からの紙３１の１回又はより多数回の供給サイクルを作動させることになろう。
【００７２】
この当初の状況において、リーフィング部材５０は、図７ａに示した当初の位置又は零位置とも称される、軸線５２の回りの所定の角度位置に配置されており、この位置において、２つのリーフィングローラ５３は、そのそれぞれの平坦面５３ｂが第二のトレー３０の固定壁３２の面に面し且つ基本的に該面に対して平行であるようにする。
【００７３】
更に、リーフィング部材５０のこの当初の設定状態に相応して、同一のリーフィング部材５０の端部に固定された主駆動歯車５４は、無歯部分５４ｂがロッカ機構６０の端部歯車６２ｄに向くように角度を付けた態様にて配置される。
【００７４】
一方、ロッカ部材６１は、固定軸線６４の回りでその角度移動距離の端部の位置に配置されており、この位置において、歯車６２ａは分離しており、このため駆動歯車５４の歯部５４ａと噛み合わない。
【００７５】
その結果、当初の設定状態において、リーフィング部材５０は不作動である、換言すれば、駆動機構６０と係合していないことになる。
この場合にも、依然この当初の設定状態において、供給部材５０の軸５１は、所定の角度位置に配置されている。この所定の角度位置において、２つのカムプロファイル５６は図４、図７ａに示すように可動壁２２と一体的なそれぞれの協働要素２２ａと接触して頂部にて協働し、弾性手段２５の作用に反作用すべく第一のトレー２０の可動壁２２を供給部材５０に対する引き込んだ位置に維持し且つ妨害する。該弾性手段２５は、ローラ５３に向けた方向に向けて可動壁２２を常に押す作用を果たす。
【００７６】
第一のトレー２０の可動壁２２のこの引き込んだ位置は、第一の連２１ａを上方から第一のトレー２０内に容易に挿入することも許容し、このため連２１ａは可動壁２２の側部と接触し、また、打撃面２４の下端縁に沿って位置する。
【００７７】
図９ａのフロー図のステップＳ１にて示したように特定の時点にて、ファックス機１１は、文書が受信されようとしており、従って複製しなければならないという信号を外部の線を通して受信する。
【００７８】
このため、これに応答して、ステップＳ２にて示すように、ファックス１１は複写紙２１に対する印刷過程を作動させて受信した文書を複製する。
特に、ステップＳ３の間、また、図５にて示すように、ファックス１１は、主モータ１９の回転を駆動して機構６０の中央歯車６２ｂの時計回り方向への相応する回転を決定する。
【００７９】
一方、時計回り方向への回転６２ｂは、同一の支持体６３によって支持された組みの歯車と共に、支持体６３の歯車６２ｂの軸線６４の回りで摩擦を介して相応する時計回り方向への回転を引き起こす。
【００８０】
このため、支持体６３の時計回り方向への回転のため、端部歯車６２ａは動かされ、このため、該端部歯車は歯車５４の歯付き部分５４ａと係合し且つ、噛み合い、これによりその回転を作動させる一方、歯付きホイール６２ｂにより駆動される上記歯付きホイール６２ａは反時計回り方向に回転する。
【００８１】
このように、歯車５４は時計回り方向に向けて回転し始め、このため、リーフィング部材５０も経路１８に沿った紙２１の取り出し及び供給方向とコヒーレントな図７ａに示した当初の位置から開始して回転する。
【００８２】
モータ１９の回転は、該モータが矢印ｆ４（図７ｂ）により示すように、時計回り方向に向けて軸５１の所定の角度回転を駆動し、壁２２の協働する要素２２ａからのカムプロファイル５６の解放を決定する迄、続く。
【００８３】
このため、このようにして、ステップＳ４の間、第一のトレー２０の可動壁２２はカムプロファイル５６から解放され、また、弾性手段２５により形成されたスラスト力の下、該可動壁は、矢印ｆ５により示すように、供給部材５０に向けて支点２３の回りを回転し、これにより連２１の頂部における最上側紙２１´をリーフィング部材５０の２つのローラ５３と接触させる。この間、該リーフィング部材は、時計回り方向に回転して、そのそれぞれの円筒面５３ａを最上側紙２１´と接触させる。
【００８４】
２つのローラ５３と紙２１´との間の接触及び協働は、第二のトレー３０の固定壁３２により形成された開口部４１が存在することを通じて且つ該開口部によって行われることも明白である。
【００８５】
このステップＳ４の間、可動壁２２による急激な動きを防止するため、カムプロファイル５６の各々には、構造体１５により可動の態様にて支持された相応する案内プロファイル５７（図８ｃ）と協働する形態とされた補助的なプロファイル５６ａが設けられる一方、カムプロファイル５６からの解放後、リーフィング部材５０に向けて支点２３の回りを回転するとき、可動壁２２を従動させ得るようにされている。
【００８６】
これと同時に、第一の回転方向に従ったモータ１９の計画された回転が終了したとき、換言すればトレー２０がプロファイル５６から分離した直後、従って、供給ローラ５３と最上側紙２１´との接触が決定された直後、ファックス駆動装置１１は、ステップＳ５により示すように、モータ１９の回転方向を逆に駆動し、その後、該モータは、第一の方向と反対の第二の回転方向に従って回転し始める。
【００８７】
このようにして、モータ１９は、反時計回り方向への中央歯付きホイール６２ｂの回転を駆動し、このため、依然として歯付きホイール６２ｂの軸線６４の回りで反時計回り方向へのロッカ支持体６３の相応する回転を駆動し、その結果、歯付きホイール６２ａは駆動歯車５４から分離し、また、他方の端部の歯付きホイール６２ｄは上記歯車５４と同時に噛み合う。この間、該歯車５４はその当初の位置に対して時計回り方向（図５）に向けて回転しており、歯付きホイール６２ｄと噛み合う歯付き部分５４ａを提供する。
【００８８】
図５にて容易に理解し得るように、組みの歯車６２ａないし６２ｄは、次のような形態とされている、すなわち、歯付きホイール６２ｄが駆動歯車５４と噛み合った後、また、モータ１９によって駆動された中央歯付きホイール６２ｂがその反時計回り方向への回転を続ける間、駆動歯車５４は、該駆動歯車が歯付きホイール６２ａにより回転するよう命令される前と同一の時計回り方向に向けて回転を続けるような形態とされている。
【００８９】
更に、歯付きホイールのトレーン６２ａないし６２ｄの伝動比は、以前と同一の時計回り方向への回転のみならず、以前と同一の角速度にて歯車５４の回転が続くような値とされる。
【００９０】
ステップＳ６にて示すように、相対的な無歯部分５４ｂが再度、歯付きホイール６２ｄに面する位置となる迄、駆動歯車５４の回転は時計回り方向に続行する。
このため、このステップの間、２つの供給ローラ５３は矢印ｆ４（図７ｂ）で示し、また、移動方向１８ａとコヒーレントな時計回り方向への回転を続行し、それぞれの円筒状部分５３ａにより連２１の頂部の最上側紙２１´と係合し、最上側紙２１´は連２１ａ内のその他の紙から分離し且つその紙を供給経路１８に沿って供給する。
【００９１】
望ましくは、駆動機構６０の支持体６３及び歯車５４には、図８ａ、図８ｂに示した、相互に協働しようとするそれぞれの案内プロファイル６７が設けられている。その目的は、最上側紙２１´を分離させ且つ引っ張るのに必要な力によって誘発された応力のため、リーフィング部材５０と連２１ａの最上側紙２１´との間の係合ステップに対応した非係合状態、従って分離が主駆動歯車５４の歯部５４ａと歯車６２ｄとの間にて、歯車５４の角度回転部分に沿って開始し且つ生じるのを防止するためである。次に、リーフィング部材５０による全回転が完了したとき、駆動歯車５４の部分５４ｂが歯付きホイール６２ｄに面する位置となると、歯付きホイール６２ｄと歯車５４とは非係合状態となり、歯車５４は、ステップＳ７にて直ちに回転を停止させ、従って、トレー２０からの紙２１´の供給サイクルも捕捉される。
【００９２】
このサイクルの時点において、このサイクルのリレーにて２つの供給ローラ５３は、紙２１´に面するそれぞれの下降部分５３ｂを提供し、このようにして、該紙２１´はリーフィング部材５０から解放される。
【００９３】
しかし、紙２１´の前側部分又は頂部は、供給手段１４の回転部材１４ａによって把持され、また、装置１０のリーフィング部材５０から解放された後、更に遠方に移動し得るよう経路１８に沿って十分遠方に移動している。
【００９４】
特に、これらの回転部材１４ａは、トレー２０がカムプロファイル５６から解放された後、作動されて第二の回転方向に回転するモータ１９によって供給方向１８ａに従って回転するよう駆動される。
【００９５】
このため、このステップの間、モータ１９は、装置１０を何ら作動させることなく、この第二の回転方向への回転を続ける。該装置１０は、紙２１´が経路１８に沿って更に遠方に移動する間、不作動状態、すなわち休止モードに止まっている。
【００９６】
このようにして、紙２１´は、受信した文書を印刷し、このため、複製すべく印刷装置１２の前方を通過し、次に、印刷した後、該紙は、矢印ｆ２により示すようにファックス機１１から排出される。
【００９７】
次に、上述したのと同一に、トレー２０からの新たな紙２１に対する新たなリーフィングサイクルが開始し、その後、ファックス１１から受信した文書が完全に印刷される迄、同様に続けられる。
【００９８】
文書紙のリーフィングサイクル
第二のトレー３１からの任意の文書紙３１のリーフィングサイクルの直前の図７ｃに示した開始状況にあるとき、リーフィング部材５０は、複写紙２１のリーフィングサイクルについて上記に予想したのと同一の当初の設定状態にて軸線５２の回りにて角度を付けた態様にて配置される、換言すれば、ローラ５３の円筒状部分５３ａは、トレー２０、３０の帯域と反対の帯域内に配置され、また、ローラ５３の平坦な部分５３ｂは、２つのトレー２０、３０の壁２２、３２に対して基本的に平行で且つ該壁２０、３０に面する位置に配置される。
【００９９】
このため、この当初の設定状態にあるとき、リーフィングローラ５３は、干渉を防止し、また、第二のトレー３０が送信すべき紙３１を第二のトレー３０内に上方から挿入するのを許容するのに自由な空間を残すよう角度を付けた態様にて配置される。
【０１００】
その結果、当初の設定状態において、第一のトレー２０からの紙２１のリーフィングサイクルに関する限り、リーフィング部材５０の歯車５４は自由であり、また、無歯部分５４ｂにて歯車６２ｄに面しており、このため駆動機構６０によって把持されることはない。
【０１０１】
最後に、依然として上記の当初の状態にあるとき、第一のトレー２１からのリーフィングサイクルにて見たように、供給部材５０の軸５１は、所定の角度位置に配置されており、この所定の角度位置にて２つのカムプロファイル５６は図４及び図７ｃに示すように、常にローラ５３の方向に向けて壁２２に対して押す弾性手段２５による作用に反作用すべく可動壁２２と一体のそれぞれの協働する要素２２ａと接触して頂部にて協働し、これにより第一のトレー２０の可動壁２２を供給部材５０に対して引き込んだ位置に維持し且つ妨害する。
【０１０２】
この当初の状況において且つステップＳ１´（図９ｂ）にて、ファックス機１１を使用するユーザは、供給部材５０に最も近い第二のトレー３０内に１枚又はより多数のオリジナル紙３１を挿入する。この紙は、ファックス１１によって伝送すべき文書を構成し、また、挿入した後、トレー３０の壁３２に横方向に寄り掛かり、また、底部にて双方のトレー２０、３０に共通の打撃面２４に寄り掛かる連３１ａを形成する。
【０１０３】
上記紙３１が第二のトレー３０内に存在することは、上記トレー３０と関係した存在センサによって直ちに信号が送られ、その結果、ファックス機１１は、第二のトレー３０内に導入された紙３１を読み取り且つ送信し得るよう配置される。
【０１０４】
この時点にて、ユーザは、例えばファックス１１のボタンを押すことにより、第二のトレー３０内に挿入された紙３１に相応する文書の送信手順を物理的に作動させ、また、これに応答して、ファックス１１は、ステップＳ２´にて示すように第二のトレー３０からの第一のリーフィングサイクルを命令する。
【０１０５】
特に、第一のトレー２０からの複写紙２１のリーフィングサイクルに対するのと同様の態様にて、ファックス１１の駆動装置は、ステップＳ３´の間、モータ１９の回転を駆動して中央歯付きホイール６２ｂの摩擦による時計回り方向の回転を決定する一方、該中央歯付きホイールは、歯付きホイール６２ｂの軸線６４の回りでのレバー支持体６３の相応する時計回り方向への回転を決定し、端部の歯付きホイール６２ａを駆動歯車５４の歯部５４ａと噛み合わせる。
【０１０６】
次に、第二のトレー３０のリーフィングサイクルは、第一のトレー２０のリーフィングサイクルに関して上述したものと同一の態様にて続行する。
このため、軸５１が時計回り方向に回転した後、カムプロファイル５６は第一のトレー２０から非係合状態となる、すなわちステップＳ４´にて示すように解放され且つ分離される。
【０１０７】
これに応答して、トレー２０の可動壁２２は、矢印ｆ５（図７ｄ）により示した方向に向けてリーフィング部材５０に向けて支点２３の回りで時計回り方向に回転する弾性手段３０のスラスト力の下、反動し、第二のトレー３０内に保持された連３１ａをリーフィング部材５０に対して押し且つ係合させる。
【０１０８】
より詳細には、トレー２０の可動壁２２は、紙２１がトレー２０内に存在しないとき、直接的に、又はトレー２０内に保持された可能な連２１ａの任意の紙によって間接的に、開口部４１にて協働紙レー３０内に保持された連３１ａの後端と接触し連３１ａの反対側部に配置された最上側紙３１´をリーフィング部材５０の供給ローラ５３に対して押し付ける。該供給ローラは、回転してそれぞれの円筒状部分５３ａを図７ｄに示すように、最上側紙３１´と接触させる。
【０１０９】
この時点にて、ステップＳ５´の間、ファックス１１は、第一のトレー２０からの紙２１´の供給サイクルと完全に同一の態様にてモータ１９の回転方向を逆転するよう命令する。該逆転は、歯車５４からの歯付きホイール６２ａの分離を引き起こし、これに代えて、歯車５４を他方の歯付きホイール６２ｄと係合させ、このため、歯車５４は、供給ローラ５３と共に矢印ｆ４で示した時計回り方向への回転を続行し、連３１ａの頂部の最上方紙３１´を取り出し且つその紙を供給経路１８に沿って方向１８に向けて供給する。
【０１１０】
次に、軸５１の１回転が完了したとき、すなわち、サイクルの終了時（ステップＳ７´）、供給手段１４の回転部材１４ａが係合すべく紙３１´が供給ローラ５３から非係合状態となる迄、最上側紙２１の取り出し及び供給サイクルに関して説明したのと同一の態様にて、再度、ステップＳ６´の間、供給サイクルが続行する。
【０１１１】
このようにして、紙３１´は、経路１８に沿って遠方に移動して読み取り装置１３によって完全に読み取られ、その後、該紙は、ファックス１１の出口にて解放される。
上述したリーフィングサイクルは、全ての紙３１が第二のトレー３０から取り上げられる迄、送信すべくトレー３０内に止まる各紙３１に対して同一の態様にて繰り返される。
【０１１２】
優先的に送信すべき一枚の紙の供給サイクル
ファックス１１にて行われる任意のその他の作動に優先してファックス１１により一枚の文書紙７１を送信することが必要となるとき、ユーザは、送信すべき紙７１をファックス１１の外側ケースに形成されたスロットを通して挿入し、その紙は、図１及び図７ｃの一点鎖線にて示すように、表面７０上に配置される。
【０１１３】
この状況において、供給部材５０は、第一のトレー２０及び第二のトレー３０からの紙２１、３１の取り出し及び供給サイクルに関して上述したのと同一の当初の設定状態に配置される。
【０１１４】
この着想をより明確にするため、図５に示したこの当初の設定状態において、駆動歯車５４は、端部歯付きホイール６２ｄに面する無歯部分５４ｂを有する一方、ロッカー部材６１の他端に配置された歯付きホイール６２ａは、分離され且つ歯車５４から非係合状態とされ、このため、駆動歯車５４はロッカ機構６０から非係合状態とされることに留意すべきである。
【０１１５】
文書７１はファックス１１内に挿入されたならば、該文書７１は、紙７１の下側部分が読み取り装置１３の牽引ローラ１３ｂに隣接するように支持面７０の上に配置される。
紙７１の存在は、面７０と関係したセンサによって直ちに信号が発せられ、このため、ファックス１１はそれ自体で、挿入されたその単一の文書紙７１を直ちに読み取り且つ送信する準備をする。
【０１１６】
この時点にて、ユーザは、例えばファックス１１のボタンを押すことにより紙７１の供給サイクルを作動させる。
次に、駆動モータ１９を作動させて牽引ローラ１３ｂを駆動し且つ回転させ、紙７１は、ローラ１３ｂと読み取りバー１３ａとの間にて把持され且つ読み取り装置１３によって漸進的に読み取られるよう方向１８ａに向けて移動する。
【０１１７】
このステップの間、牽引ローラ１３ｂの回転を駆動するため、また、方向１８ａに沿って紙７１を供給しようとする他方の供給ローラ１４ａの回転を駆動するため、モータ１９は、中央歯付きホイール６２ｂの反時計回り方向に相応する、行間方向（ｉｎｔｅｒｌｉｎｅａｒ）とも称される、所定の方向に従って回転する。
【０１１８】
この時点にて、図５にて容易に理解し得るように、中央の歯付きホイール６２ｂによるこの反時計回り方向への回転は、ロッカ部材６１の歯付きホイールと駆動歯車５４との間に何らの噛み合い状態を引き起さず、従って、機構６０が回転中、モータ１９とリーフィング部材５０との接続に介入することはないようなものである。
【０１１９】
換言すれば、このステップの間、それぞれのトレー２０、３０からの紙２１、３１に対する供給サイクルと相違して、このステップの間、レバー支持体６３は駆動され、また、軸線６４の回りで時計回り方向に回転し、中央の歯付きホイール６２ａと歯車５４との噛み合みを引き起こすことはない。
【０１２０】
これに反して、レバー支持体６３は、軸線６４の回りでその角度経路の端部におけるその現在の位置に止まり、このため、端部６２ａの歯付きホイールは歯車５４の歯部分５４ａから分離されて空転状態に回転し、また、他端の歯付きホイール６２ｄは無歯部分５４ｂの帯域内にて空転状態に回転する。
【０１２１】
このため、歯車５４は、依然として、その当初の位置に止まっており、その結果、該歯車がトレー２０又はトレー３０からの紙の取り出しを作動させることはない。
なお、モータ１９は、行間方向に従って依然として所定の回転数だけ回転を続行し、紙７１を経路１８に沿って更に供給する。
【０１２２】
このようにして、紙７１は、読み取りバー１３ａの前方にてその全長に渡って移動し、このため、読み取られ、また、この紙は、最後に、読み取り動作の後、ファックス１１から排出される。
【０１２３】
この時点にて、モータ１９は停止位置にあり、このため、装置１０は、再度、第一又は第二のトレー２０又は３０からそれぞれ紙２１又は３１又は支持面７０からの一枚の紙７１に対する新たな取り出しサイクルを実行する準備ができた当初の設定状態にある。
【０１２４】
上述したサイクルは、一枚の文書紙７１が面７０に挿入される毎に繰り返される。
変更例
本発明の代替的な実施の形態が可能である。そのうち、幾つかについて以下に説明する。
【０１２５】
上述した実施の形態の１つの代替例として、紙を第一の連から取り出すため、供給部材と第一の連との間の協働は、例えば、供給部材により付与されて第二のトレーを通じて作用する力、加圧され又は吸引空気流と関係した空気圧力のような力、また、静電型力によってさえ、供給部材と第一の連とが実際に物理的何ら接触せずに実行することができる。
【０１２６】
更に、異なる実施の形態によって、リーフィングサイクルは、必ずしもリーフィングローラの完全な回転に相応する必要はない。例えば、リーフィングサイクルは、Ｄ字形の仕上げ面を付けていないローラを使用せずに実行し又は逆回転を伴わずに、駆動モータの回転により作動させることができる。
【０１２７】
この場合にも、２つのトレー内に保持された連をリーフィング部材と係合させるため、固定の軸線の回りで回転するリーフィング部材を有し、また、２つのトレーの少なくとも一方をリーフィング部材に対して可動とすることに代えて、双方のトレーをリーフィング部材に対して固定し、次に、そのリーフィング部材がトレーに対して動いて、それぞれの連と接触する状態にて協働するようにすることも可能である。
【図面の簡単な説明】
【０１２８】
【図１】本発明に従って実現された、紙を２つのトレーから取り出し且つ供給するリーフィング装置を有するファックス機の第一の斜視図である。
【図２】その外側ケース無しの図１のファックス機の第二の斜視図である。
【図３】本発明のリーフィング装置を示す、特定の部品を除去した図１のファックス機の更なる斜視図である。
【図４】図１に示したリーフィング装置の特定の部品、特に、供給部材及び駆動機構を示す斜視図である。
【図５】本発明のリーフィング装置及び関連する駆動機構の図２に示した線Ｖ−Ｖによって画成された面に沿った部分断面側面図である。
【図６】図２に示した駆動機構の拡大斜視図である。
【図７】７ａは、紙を２つのトレーの第一のトレーから供給するサイクルの開始時に当初の作動状態にある図１に示したリーフィング装置を示す第一の断面図である。７ｂは、紙を第一のトレーから供給するサイクルの間、連続的な作動状態にある図７ａに示したリーフィング装置の第二の断面図である。７ｃは、紙を２つのトレーの第二のトレーから供給するサイクルの開始時に当初の作動状態にある図１に示したリーフィング装置を示す第三の断面図である。７ｄは、紙を第二のトレーから供給するサイクルの間、連続的な作動状態にある図７ｃに示したリーフィング装置を示す第四の断面図である。
【図８】８ａないし８ｃは、図１のリーフィング装置の特定の詳細を示す拡大斜視図である。
【図９】９ａ及び９ｂは、図１に示したリーフィング装置によって実行される第一のトレー及び第二のトレーからの２回の紙の取り出しサイクルに関する２つのフローチャートである。
【図１】
2008508156.tif 000003
【図２】
2008508156.tif 000004
【図３】
2008508156.tif 000005
【図４】
2008508156.tif 000006
【図５】
2008508156.tif 000007
【図６】
2008508156.tif 000008
【図７ａ】
2008508156.tif 000009
【図７ｂ】
2008508156.tif 000010
【図７ｃ】
2008508156.tif 000011
【図７ｄ】
2008508156.tif 000012
【図８ａ】
2008508156.tif 000013
【図８ｂ】
2008508156.tif 000014
【図８ｃ】
2008508156.tif 000015
【図９】
2008508156.tif 000016
【国際調査報告】
2008508156.tif 000017
2008508156.tif 000018
2008508156.tif 000019